(57)【特許請求の範囲】
【請求項１】
管楽器（Ｓ）のためのサウンドデフレクタ（１）であって、前記サウンドデフレクタ（１）は、サウンドデフレクタ面（２）と、前記管楽器（Ｓ）のベル（Ｓ’）の縁部（Ｓ”）に取り付けるためのデバイス（３、３０）とを有し、
前記デフレクタ面（２）を取り付けるための前記デバイス（３、３０）は、前記ベル（Ｓ’）の内面上に締結可能な上側部分（５、５０）と、前記ベル（Ｓ’）の外面上に締結可能な下側部分（６、、６０）とを有し、
前記上側部分（５、５０）及び前記下側部分（６、６０）は、ヒンジ（４、４０）により互いに接続され、前記下側部分及び前記上側部分の各々は、少なくとも２つのナブ（９ａ、９ｂ、１０ａ、１０ｂ）を有し、これらは、前記上側部分（５、５０）及び前記下側部分（６、６０）が一緒にされる場合に、前記上側部分（５、５０）の前記ナブ（９ａ、１０ａ、５１）の中心が、前記下側部分（６、６０）の前記ナブ（９ｂ、１０ｂ、６１）の中心に対して横方向にオフセットして配置され、前記サウンドデフレクタ面（２）は、前記上側部分（５、５０）及び下側部分（６、６０）に枢動可能に締結され、前記上側部分（５、５１）及び前記下側部分（６、６０）の前記ナブ（９ａ、９ｂ、１０ａ、１０ｂ、５１、６１）は、円形縁部（９’、１０’）を有する、サウンドデフレクタ（１）。
【請求項２】
前記上側部分（５、５０）及び前記下側部分（６、６０）の前記ナブ（９ａ、９ｂ、１０ａ、１０ｂ、５１）はゴムを含む、請求項１に記載のサウンドデフレクタ（１）。
【請求項３】
前記上側部分（５）及び前記下側部分（６）の各々は、３つのナブ（９ａ、９ｂ、１０ａ、１０ｂ）を有する、請求項１又は２に記載のサウンドデフレクタ（１）。
【請求項４】
前記上側部分（５）及び前記下側部分（６）の各々は、平坦な、円形形状を有し、その上に前記ナブ（９ａ、ｂ、１０ａ、ｂ）が均一に分配される、請求項３に記載のサウンドデフレクタ（１）。
【請求項５】
前記上側部分（５０）及び前記下側部分（６０）の各々は２つのナブ（５１、６１）を有する、請求項１又は２に記載のサウンドデフレクタ（１）。
【請求項６】
２つのナブ（５１、６１）の各々は、前記上側部分（５０）の一方の端部、及び前記下側部分（６０）の一方の端部に配置される、請求項５に記載のサウンドデフレクタ（１）。
【請求項７】
前記下側部分（６０）及び前記上側部分（５０）の長さは異なる、請求項５又は６に記載のサウンドデフレクタ（１）。
【請求項８】
前記デフレクタ面（２）は、前記ヒンジ（４、４０）上の接続要素（１８、１８０）によって締結される、請求項１〜７のいずれか１項に記載のサウンドデフレクタ（１）。
【請求項９】
前記上側部分（５、５０）及び前記下側部分（６、６０）の各々は２つのヒンジ部（４ａ、４ｂ、５２、６２）を有し、前記デフレクタ面（２）に対する前記接続要素（１８、１８０）はヒンジアイ（１７、１８１）を有し、これは、前記上側部分及び前記下側部分（５、６、５０、６０）の前記ヒンジ部（４ａ、４ｂ、５２、６２）の間に配置される、請求項１〜８のいずれか１項に記載のサウンドデフレクタ（１）。
【請求項１０】
前記ヒンジ（４、４０）は、ねじ及びボルト（７、７’、７０、７０’）を有するねじ接続部によって固定可能である、請求項１〜９のいずれか１項に記載のサウンドデフレ
クタ（１）。
【請求項１１】
前記上側部分（５０）の前記ヒンジ部（５２）のうちの１つ及び前記下側部分（６０）の前記ヒンジ部（６２）のうちの１つは、前記ねじ（７０）の頭部を押圧し、前記ヒンジアイ（１８１）は、前記ねじ（７０）の前記頭部から離間して配置される、請求項１０に記載のサウンドデフレクタ（１）。
【請求項１２】
前記サウンドデフレクタ（１）を取り付けるための前記デバイス（３、３０）は、前記ベル（Ｓ’）上に固定するための着脱可能なスクリュー締結具（８、８０）を有する、請求項１〜１１のいずれか記載のサウンドデフレクタ（１）。
【請求項１３】
前記デフレクタ面（２）を取り付けるための前記デバイス（３、３０）の前記ヒンジ（４、４０）と、前記ヒンジ（４、４０）の最も近くに位置するナブ（９ａ、９ｂ、５１）との間に間隙（Ｆ）が存在する、請求項１〜１２のいずれか１項に記載のサウンドデフレクタ（１）。
【請求項１４】
前記隙間（Ｆ）は、前記着脱可能なねじ接続部（８、８０）と、前記最も奥の突起要素（９ａ、９ｂ、５１）との間に存在する、請求項１２及び１３に記載のサウンドデフレクタ（１）。
【請求項１５】
前記サウンドデフレクタ（１）を取り付けるための前記デバイス（３、３０）は、前記ベル（Ｓ’）上に固定するための前記上側部分（５、５０）と前記下側部分（６、６０）との間に配置されたばね（１３、１３０）を有する、請求項１〜１４のいずれか１項に記載のサウンドデフレクタ（１）。
【発明の詳細な説明】
【技術分野】
【０００１】
本発明は、サクソフォーンなどの管楽器用のサウンドデフレクタに関し、詳細には、このようなサウンドデフレクタを取り付けるためのデバイスに関する。
【背景技術】
【０００２】
サウンドデフレクタは、音を偏向して演奏者に戻すために楽器、詳細にはサクソフォーン又はトランペットなどの金管楽器を演奏する際に用いられ、演奏者は、オーケストラ又はバンドでの演奏中に自身の音を良好に聞くことができる。
【０００３】
サウンドデフレクタは市販されており、例えば、図６に示すようなサクソフォーン用のいわゆる「プローガー（Ｐｌｏｅｇｅｒ）サウンドミラー」である。これは、ばねクランプによって楽器ベルの下縁部に締結されるプラスチック製のクランプを含み、締結具は、できるだけベルの縁部の近くに配置されることになる。直線状ロッドはクランプに締結されており、その端部にはサウンドレフレクタが配置される。直線状ロッドは、クランプ上で位置を調節することができ、クランプとサウンドリフレクタとの間の距離は可変である。別のサウンドレフレクタは、ベル上に長方形プレートによって締結することができ、これは、ベル開口部の全直径に広がる。さらの公知のサウンドレフレクタは、楽器とは無関係に譜面台又は他の物体上に締結されることが意図されている。
【発明の概要】
【発明が解決しようとする課題】
【０００４】
本発明の目的は、楽器への取り付けを改善することができる、管楽器用のサウンドデフレクタを提供することである。
【課題を解決するための手段】
【０００５】
この目的は、請求項１によるサウンドデフレクタによって達成される。
【０００６】
サウンドデフレクタ面及びこれを管楽器のベルの縁部に取り付けるためのデバイスを有するサウンドデフレクタが開示される。本発明によれば、デフレクタ面を取り付けるためのデバイスは、下側部分及び上側部分を有し、これらはベルの内側又は外側にそれぞれ締結及び固定できる。上側部分及び下側部分は、ヒンジにより互いに接続される。本発明によれば、下側部分及び上側部分の各々は、少なくとも２つのナブ又は突起要素を有する。上側部分及び下側部分が一緒にされる場合、上側部分のナブの中心及び下側部分のナブの中心の各々は、互いに対して横方向にオフセットして配置される。サウンドデフレクタ面は、上側部分及び／又は下側部分に枢動可能に接続される。さらに、上側部分のナブ及び下側部分のナブは円形縁部を有する。
【０００７】
本発明によるサウンドデフレクタは、詳細には、様々な形状のベル縁部を有する楽器への締結を可能にする。取り付けデバイスの上側部分のナブの中心及び下側部分のナブの中心の互いに対する横方向のオフセット配置は、ベルの様々な曲率及び様々な厚さ、並びにベル縁部の様々な形状を有する楽器ベルへのサウンドデフレクタのクランプ締結を可能にする。本発明によるサウンドデフレクタは、サクソフォーン、トランペット、チューバ、又は他の管楽器に、又は例えば譜面台に使用できるので、普遍的に使用可能である。クランプデバイスのナブの配置により、ベルに対するクランプデバイスの最適な適用が実現し、ベルに上側部分及び下側部分を固定するために僅かな力の付与が必要とされる。従って、過度の締結固定に起因する加圧点によるベルの損傷が阻止される。
【０００８】
各々のナブの円形縁部は、楽器のベル上の加圧点の回避に更に貢献する。
【０００９】
１つの実施形態において、デフレクタ面は、上側部分及び下側部分と同じヒンジ上に枢動可能に締結される。これは、片手だけでデフレクタ面を簡単かつ迅速に配列するのを可能にする。
【００１０】
従って、デフレクタ面は、クランプ取り付けによって締結するために用いられるヒンジにより上側部分及び下側部分に直接接続される。従って、取り付け手段は、少数の要素及び小型てこ装置を有し、小型、軽量、コンパクトに具現化される。総合的に、これによって演奏中でもデバイスの単純な操作が可能になる。
【００１１】
１つの実施形態において、ナブはゴムを含む。このことは、楽器ベルの輪郭に対するナブの最適な適用を可能にし、ベルをクランプ圧による損傷から更に保護する。
【００１２】
１つの具体的な実施形態において、上側部分及び下側部分の各々は３つのナブを有し、これらは上側部分又は下側部分にそれぞれ均一に分配され、上側部分及び下側部分が一緒にされてベル縁部に静止する場合に互いに押し付け合い、ベル縁部はその間に位置する。この実施形態は、高い安定性の締結をもたらす。
【００１３】
更なる実施形態において、上側部分及び下側部分の各々は、円形の、平坦な形状を有し、その上にナブが分配される。この実施形態において、ナブによるベル縁部のエンクロージャは、１組の歯のものと類似しており、その上側の歯の中心及び下側の歯の中心は、互いに対して横方向にオフセットして配置される。
【００１４】
１つの実施形態において、取り付けデバイスの上側部分及び下側部分は、一方の部分が他方の部分を越えるように異なる長さで形成される。下側部分及び上側部分の各々は２つのナブを有し、これらの各々は、ヒンジに背を向けて各部分の外側端に配置される。
【００１５】
１つの実施形態において、ヒンジは、ねじにより固定可能である。従って、上側部分及び下側部分に対するデフレクタ面の接続強度を適合させることができる。
【００１６】
１つの実施形態において、取り付けデバイスのヒンジとヒンジに最も近いナブとの間に隙間が存在する。管楽器が縁部にビードを有する場合、結果的にビードはこの隙間に置くことができる。
【００１７】
１つの変形形態では、サウンドデフレクタの取り付け手段は、固定用の着脱可能なねじ締結具を有する。代替的な実施形態において、サウンドデフレクタの取り付け手段は、固定用のばねを有する。
【００１８】
本発明によれば、サウンドデフレクタは、上述の実施形態のうちの１つ、さらに組み合わされた複数の特徴部を有することができる。
【００１９】
本発明の更なる利点は以下の説明から得られ、ここでは、本発明は概略図に示される例示的な実施形態に基づいてより詳細に説明される。
【図面の簡単な説明】
【００２０】
【図１】サクソフォーン演奏者が使用中の本発明によるサウンドデフレクタを示す。
【図２ａ】サウンドデフレクタの概略的な斜視図である。
【図２ｂ】図２ａのサウンドデフレクタの側面図である。
【図３ａ】サウンドデフレクタを管楽器のベル縁部上に取り付けるためのデバイスを示し、サウンドデフレクタを取り付けるための閉鎖デバイスの側面図である。
【図３ｂ】サウンドデフレクタを管楽器のベル縁部上に取り付けるためのデバイスを示し、図２ａのＩＩＩｂ−ＩＩＩｂに沿った閉鎖デバイスの断面図である。
【図３ｃ】サウンドデフレクタを管楽器のベル縁部上に取り付けるためのデバイスを示し、開放デバイスの断面図である。
【図３ｄ】サウンドデフレクタを管楽器のベル縁部上に取り付けるためのデバイスを示し、ベル縁部上に配置された閉鎖デバイスの断面図である。
【図４ａ】個々の部品としての図２ｂのデバイスの上側部分及び下側部分を示す斜視図である。
【図４ｂ】図２ｂからのヒンジ部を有する上側部分の下方からの斜視図である。
【図４ｃ】図２ｂからのヒンジ部を有する下側部分の上方からの斜視図である。
【図４ｄ】図２ｂからの下側部分の平面図である。
【図５】図２ｂからのデバイスのヒンジの断面での斜視図である。
【図６】従来技術によるサウンドレフレクタを示す。
【図７ａ】本発明によるサウンドデフレクタの取り付けデバイスの更なる実施形態を示し、下側部分の斜視図である。
【図７ｂ】本発明によるサウンドデフレクタの取り付けデバイスの更なる実施形態を示し、上側部分の斜視図である。
【図７ｃ】本発明によるサウンドデフレクタの取り付けデバイスの更なる実施形態を示し、接続部分及びデフレクタ面の部分を有する取り付けデバイスの側面図である。
【図８ａ】ヒンジとサウンドデフレクタ面との間の接続部分の更なる実施形態の斜視図である。
【図８ｂ】図７ａ〜ｃからの保持デバイス、詳細には、固定ねじを有するヒンジの更なる実施形態の断面での斜視図である。
【発明を実施するための形態】
【００２１】
明示的に述べられていない限り、各図において同じ参照符号は同じ要素に用いられており、最初の説明は全図に関連するものである。
【００２２】
図１は、管楽器、例えば、サクソフォーンＳに締結される本発明によるサウンドデフレクタ１を示す。デフレクタ１は、例えばプラスチックで作製されたデフレクタ面又はプレート２を有し、これは、楽器のベル縁部Ｓ’にデフレクタ面２を取り付けるためのデバイス３によりクランプすることによって締結及び固定することができる。デバイスは、この目的のために２つの部分５及び６を有し、これらはヒンジ４によって互いに接続される。デフレクタ面２は、手動でヒンジ軸４の周りでデフレクタ面２を枢動させることでベル縁部Ｓ’に対する角度配列を設定することができる。従って、演奏家は、演奏中に片手を使ってサウンドデフレクタの角度配列を調節することもできる。サウンドデフレクタ１は、特に保持デバイス３のコンパクトな実施形態によって特徴付けされる。クランプデバイスのヒンジ機能及びデフレクタ面２の角度配列を変えるためのヒンジ機能の両機能は、同じ要素３に一体化されている。
【００２３】
図２ａ及び図２ｂは、サウンドデフレクタ１、特に取り付け部３を詳細に示す。デバイス３は、上側部分５及び下側部分６すなわち顎部５、６を有し、これらはヒンジ４によって互いに接続される。ヒンジ４の２つの部分５及び６、並びにデフレクタプレート２のための接続要素１８（図５に詳細に示され、その説明において明らかにされる）は、ねじ７又は他の適切なヒンジピンによって共に保持される。上側部分５及び下側部分６は、このヒンジ４によって個別に折り畳んで、管楽器のベルＳ’の縁部の周囲に適用することができる。この場合、上側部分５はベルＳ’の内側に適用され、下側部分６は外側に適用される。２つの部分５、６は、ヒンジ４によりこれらを一緒にして、例えば、固定ねじ８及びナット８’によりクランプすることでこれらを締結することによって、ベルに締結及び固定することができる。この場合、２つの部分５、６は、別の方式で、例えば、圧縮ばね、ねじりばね、又は引張ばねによって固定することもできる。
【００２４】
図３ａ〜図３ｄは、締結デバイス３の実施形態を詳細に示す。突起要素すなわちナブ（ｎｕｂ）９ａ及び１０ａは、上側部分５に配置されて下側部分６に向かって延びており、一方で、下側部分６は、上側部分に向かって延びる突起要素９ｂ及び１０ｂを有する。詳細には、上側部分及び下側部分の突起要素９ａ、９ｂ及び突起要素１０ａ、１０ｂは、互いに反対側に配置されるがオフセットしている。このことは、上側部分の要素９ａ及び要素１０ａの各々の中心が、下側部分の要素９ｂ及び要素１０ｂの各々の中心に対して横方向にオフセットして配置されることを意味する。歯のセットは、上側部分５及び下側部分６を一緒にした場合にもたらされる。このことは、要素９ａ及び９ｂが互いに中心で突き当たるのではなく横方向に変位することを意味する。このことは、要素１０ａ及び１０ｂにも同様に当てはまる。相対的な横変位により、ベルを安定的に保持することができ、このことはベルの曲率に無関係である。加えて、要素９ａ、９ｂ、１０ａ、１０ｂは、詳細には図３ｃで特徴付けされるように、円形縁部９’、１０’によってさらに特徴付けされる。この円形縁部は、ベルの湾曲形状に対する締結デバイス３の適合精度を高める。
【００２５】
楽器の厚くなったベル縁部Ｓ’の位置付けに用いられる隙間Ｆは、クランプデバイス３のヒンジ４と、ヒンジ４に最も近接して設けられる最も奥の突起要素９ａ、９ｂとの間に組み込まれる。図示の実施例では、隙間Ｆは、固定ねじ８と、最も奥の突起要素９ａ及び９ｂとの間の領域に組み込まれる。隙間Ｆは、例えば、要素９ｂ及び９ａ上の凹部、又は要素上の対応する側面によって具現化される。デバイスがベル縁部Ｓ’上に締結される場合、ベル縁部Ｓ’のビードＳ”は、図３ｄに示すように損傷を受けることなく隙間Ｆに静止する。
【００２６】
ヒンジから離れた外側要素１０ａ及び１０ｂは、歯セットの切歯に似ており（このことは、上側部分の要素１０ａの中心が、下側部分の要素１０ｂの中心に対して横方向にオフセットしていることを意味する）、上側部分５の要素１０ａを下側部分６の要素１０ｂに比べて更に外側に配置することでオフセットして配置される。上側部分５及び下側部分６が一緒にされると、突起要素はその円形縁部の領域に接触する。このオフセット配置は縁部９’、１０’の丸み付けと共に、図３ｄに示すように、湾曲ベルＳ’の位置付けを可能にする。詳細には、オフセット配置により、例えば、トランペット、サクソフォーン、チューバなどのように異なる形状のベルに普遍的に使用することができる。
【００２７】
図３ａはコイルばね１３をさらに示す。このばね１３は、上側部分５及び下側部分６がばね張力によってそれ自身が開くので締結デバイスの取り付けをさらに容易にし、回転ノブ１４によって固定ねじ８を作動させることだけが必要となる。
【００２８】
図４ａ〜図４ｄは、半円形の上側部分５及び下側部分６を有するサウンドデフレクタの取り付けデバイスの実施形態を示し、内側突起要素９ａ及び９ｂの各々は２つ具現化され、突起要素１０ａ及び１０ｂの各々は部分５、６の外側端で１つ具現化される。図４ａ〜図４ｄによるクランプデバイスの実施形態は、合計３つの加圧点を有するので、安定性に関して最適化された、デバイスのバランスのとれた位置決めがもたらされる。上側部分５又は下側部分６のヒンジ４のそれぞれのヒンジ部４ａ及び４ｂだけが示されている。さらに、固定ねじ８の開口部１５が示されている。
【００２９】
図４ｃによれば、下側部分６は、例えば、図４ｂの上側部分５の対応する凹部１６’に案内される２つのピン１６をさらに有する。ピン１６及び凹部１６’は、図３ａに示される２つのばね１３を案内するために用いられる。
【００３０】
上側部分に２つのナブ及び下側部分に２つのナブだけを有する締結デバイス３を組み込むこともできる。また、これは所望の締結機能を可能にする。
【００３１】
図５は、それぞれ上側部分５又は下側部分６のヒンジ部４ａ及び４ｂ、並びに取り付け部１９のヒンジ部４ｃを有するヒンジ４を示し、これらは、ヒンジピンの機能を有するねじ７及びボルト７’を用いて一緒に保持される。ヒンジアイ１７を有する更なるヒンジは、ヒンジ部４ｃの間に移動可能に位置決めされ、ヒンジアイ１７は、図４ｂに示すように上側部分５の一部である。デフレクタ面又はプレート２の接続要素１８は、ヒンジ部４ｃに接続される。この目的のために、接続要素１８は、例えば、デフレクタ面２を挿入することができる開口部２０を含む取り付け部１９を有する。ヒンジ４における接続部１８の可動性、従ってデフレクタプレート２に関する取り付け強さは、ヒンジピンとしても用いられるねじ接続部７、７’を締め付けること又は緩めることによって変えることができる。
【００３２】
図７ａ〜図７ｃ及び８ａ〜図８ｂは、本発明によるサウンドデフレクタの更なる実施形態を示し、先の図面に示すような取り付けデバイス３の代わりに、管楽器又は譜面台にデフレクタ面を取り付けるためのデバイス３０を有する。この更なる実施形態の基本原理は、図１〜図５と同じであり、つまり管楽器（又は譜面台）の縁部に適用されるナブ５１又は６１をそれぞれ用いる上側部分５０及び下側部分６０と、ヒンジ４０とによるクランプ締結である。この場合も同様に、サウンドデフレクタは、取り付け部１９及び接続部１８０によってこのヒンジ４０に接続される。図７ａは、下側部分６０の一方の端部に、好ましくはその長手方向軸線に対して対称的に配置された２つのナブ６１を有する下側部分６０を示す。管楽器にクランプデバイス３０を締結する間に、これらのナブ６１はベルＳ’の外側に静止する（図７ｃを参照されたい）。２つのヒンジ部６２は、ナブ６１の反対側の下側部分６０の他端に配置される。下側部分６０は、２つのピン１６及び開口部１５をさらに有し、これらは、図２〜図５のデバイスにおけるピン１６及び中央に配置された開口部１５と同じ機能を想定している。
【００３３】
図７ｂは、上側部分５０の一方の端部に、同様に好ましくはその長手方向軸線に対して対称的に配置された２つのナブ５１を有する上側部分５０を示す。管楽器に締結する間に、これらのナブ５１はベルＳ’の内面に静止する。２つのヒンジ部５２は、ナブ５１の反対側の上側部分５０の端部に配置される。上側部分５０は、中央に配置された開口部１５及び２つの開口部１６’をさらに有し、これらは、上側部分及び下側部分が一緒にされる際に、図７ａの下側部分のピン１６を受け入れる。下側部分６０及び上側部分５０の開口部１５は、図３ａ〜図３ｄに同様に開示するように固定ねじ８を受け入れるために用いられる。本発明の１つの実施形態において、上側部分５０及び下側部分６０の長さは同じではなく、図示の例示的な実施形態において、下側部分６０は、図７ｃの側面図に示すように上側部分５０よりも長い。上側部分５０及び下側部分６０が一緒にされて、管楽器のベル縁部Ｓ’にクランプすることによって締結される場合、結果として下側部分６０は２つのナブ６１でもってベルＳの外側に静止し、一方で、ナブ５１でもってベルＳ’の内側に静止し、ナブ５１はナブ６１よりもビードＳ”を有するベルの縁部の近くに位置する。隙間Ｆは、上側部分５０のヒンジ４０とナブ５１との間、詳細には固定ねじ８とナブ５１との間でビードＳ”を受け入れることができる十分な大きさで組み込まれる。上側部分５０並びに下側部分６０の各々の両者は、その外側端に２つのナブを有するので、４つの加圧点がベル表面にもたらされ、これによりサウンドデフレクタは、管楽器のベル上に安定して取り付けられる。ボルト７０’を有するねじ７０は、この場合も同様に、保持デバイス３０のヒンジ４０を固定するために用いられる。ヒンジ４０は、接続部１８０に接続され、次に、サウンドデフレクタ面２の取り付け部１９に接続される。
【００３４】
図８ａ及び８ｂは、保持デバイス３０のヒンジとサウンドデフレクタ面２の取り付け部１９との間の接続部１８０の更なる実施形態を示す。本実施形態において、接続部１８０は、１つのヒンジアイ１８１だけを有するが、対照的に図５の実施形態は、２つのヒンジ部４ｃを有する。ヒンジアイ１８１は、上側部分５０と協働する２つのヒンジ部５２の間に配置される。この場合、上側部分５０のヒンジ部５２は、ねじ７０の頭部の下側７１を押圧するが、下側部分６０の一方のヒンジ部６２は、ねじ７０の頭部の側面７２を押圧する。従って、ヒンジアイ１８１は、ねじ７０の頭部を押圧せず、むしろねじ７０のヘッドからヒンジ部５２によって離間して配置される。デフレクタ面２の接続部１８０を枢動してデフレクタ面２の角度配列を調節する場合、ヒンジアイ１８１がねじ７０の頭部を押圧しないので、ねじ７０は移動しない。従って、ねじ接続部７０、７０’は、デフレクタ面が移動する場合でも固定されたままであり、クランプデバイス３０の望ましくない緩みが阻止される。
【００３５】
もしくは、下側部分のヒンジ部は、上側部分のヒンジ部の間に配置することもでき、接続部１８０のヒンジアイ１８１は、下側部分のヒンジ部を押圧することになる。ねじ接続部７０、７０’の望ましくない緩み同様に阻止されることになる。
【００３６】
管楽器にデフレクタ面を取り付けるためのデバイス３０は、ピン１６のうちの１つの上に配置されたばね１３０をさらに有する。もしくは、当該ばねは、固定ねじ８０上に置くこともできる。また、ばね１３は、図２〜図６のデバイス内の固定ねじ８上に配置することができる。
【００３７】
図７及び図８に示すようなヒンジ４０の実施形態、及びねじ７０を有する接続部１８０の実施形態は、図２〜図５の上側部分及び下側部分に適用することもできる。
【符号の説明】
【００３８】
１  サウンドデフレクタ
２  デフレクタ面、デフレクタプレート
３、３０  締結デバイス
４、４０  ヒンジ
４ａ、４ｂ、ｃ  ヒンジ部
５、５０  締結デバイスの上側部分
５１、６１  ナブ
５２、６２  ヒンジ部
６、６０  締結デバイスの下側部分
７、７０  ヒンジ中のねじ
７’、７０’  ボルト
８  固定ねじ
８’  ナット
９ａ、９ｂ  ナブ
１０ａ、１０ｂ  ナブ
９’、１０’  円形縁部
１１  凹部
１２  凹部
１３  コイルばね
１４  回転ノブ
１５  開口部
１６  ピン
１６’  凹部
１７、１８１  ヒンジアイ
１８、１８０  接続要素
１９  取り付け部
２０  開口部
Ｆ  隙間
Ｓ  サクソフォーン
Ｓ’  サクソフォーンのベル
Ｓ”  ビード、ベルの縁部
【図１】
0006686045.tif 000002
【図２ａ】
0006686045.tif 000003
【図２ｂ】
0006686045.tif 000004
【図３ａ】
0006686045.tif 000005
【図３ｂ】
0006686045.tif 000006
【図３ｃ】
0006686045.tif 000007
【図３ｄ】
0006686045.tif 000008
【図４ａ】
0006686045.tif 000009
【図４ｂ】
0006686045.tif 000010
【図４ｃ】
0006686045.tif 000011
【図４ｄ】
0006686045.tif 000012
【図５】
0006686045.tif 000013
【図６】
0006686045.tif 000014
【図７ａ】
0006686045.tif 000015
【図７ｂ】
0006686045.tif 000016
【図７ｃ】
0006686045.tif 000017
【図８ａ】
0006686045.tif 000018
【図８ｂ】
0006686045.tif 000019